【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
データを表示するためのコンピュータ制御のインターフェースであって、該インターフェースは、プロパティアナライザとオーガナイザとを備え、
該プロパティアアナライザは、アイテムの分布を決定し、複数のプロパティのうちの第１のプロパティに部分的に基づいて複数の第１のレベルのクラスタを形成し、前記複数のプロパティのうちの他のプロパティの各々に対してそれぞれのアイテムの分布を自動的に決定し、それぞれのアイテムの分布に基づいて他のプロパティの各々に対するクラスタ化スコアを計算し、最高のクラスタ化スコアを有する他のプロパティの一つを選択し、
該オーガナイザは、前記他のプロパティの一つに部分的に基づいて複数の新しいクラスタを自動的に形成し、前記複数の新しいクラスタを提供する、
インターフェース。
【請求項２】
請求項１に記載のインターフェースであって、前記複数のプロパティは、複数のアイテムに関連付けられており、前記複数のアイテムは、ローカルストレージロケーション又はリモートストレージロケーションの少なくとも一方、又は両者の組み合わせに格納される、インターフェース。
【請求項３】
請求項２に記載のインターフェースであって、前記複数のアイテムは、文書、ファイル、フォルダ、イメージ、オーディオファイル、ビデオファイル、コード、メッセージ、又は、人物又は場所を含む外部オブジェクトのコンピュータ表現、のうちの少なくとも１つ、又はそれらの組み合わせを含む、インターフェース。
【請求項４】
請求項１に記載のインターフェースであって、前記複数のプロパティは、アイテムタイプ、前記アイテムが作成された日付または時刻、前記アイテムに関連付けられた人物、前記アイテムの場所、前記アイテムのカテゴリ、又は、システム、アプリケーション、管理者、又はユーザが定義したアイテムのプロパティ、又は、それらの組み合わせを含む、インターフェース。
【請求項５】
請求項１に記載のインターフェースであって、前記第1のプロパティは、アイテムタイプである、インターフェース。
【請求項６】
請求項１に記載のインターフェースであって、前記クラスタ化スコアは、前記複数のプロパティの特定のプロパティに関連付けられる全てのクラスタに対して、次の式：
クラスタ化スコア＝ｎ＿ｉｔｅｍｓｃｌｕｓｔｅｒ１＊ｎ＿ｉｔｅｍｓｃ１ｕｓｔｅｒ２＊．．．
ただし、ｎ＿ｉｔｅｍｓは、各クラスタに関連付けられるアイテムの個数。
により計算される、インターフェース。
【請求項７】
請求項１に記載のインターフェースであって、前記クラスタ化スコアは、前記複数のプロパティの特定のプロパティに関連付けられる全てのクラスタに対して、次の式：
クラスタ化スコア＝（Ｎ＿ｔｏｔａｌ）！／（（ｎ＿ｉｔｅｍｓｃｌｕｓｔｅｒ１）！＊（ｎ＿ｉｔｅｍｓｃ１ｕｓｔｅｒ２）！＊．．．）
ただし、Ｎ＿ｔｏｔａｌは全クラスタのアイテムの総数、ｎ＿ｉｔｅｍｓは、各クラスタに関連付けられるアイテムの個数。
により計算される、インターフェイス。
【請求項８】
請求項１に記載のインターフェースであって、クラスタ結果の表示、選択したクエリの受信、プロパティ情報の受信、クラスタ内のアイテムに関連する情報の表示の少なくとも１つ、又はそれらの組み合わせのためのユーザインターフェースをさらに備える、インターフェース。
【請求項９】
請求項１に記載の前記プロパティアナライザと前記クラスタオーガナイザを実装するコンピュータ可読命令を格納する、コンピュータ可読媒体。
【請求項１０】
グラフィカルユーザインターフェースであって、該グラフィカルユーザインターフェースは、
データベースに格納された１つまたは複数のデータアイテムおよび関連のプロパティと、前記データアイテム用に作成された１つまたは複数の表示オブジェクトと、
前記データアイテムおよび前記関連のプロパティを選択するための入力コンポーネントと、
プロパティアアナライザと、
オーガナイザコンポーネントと、
表示コンポーネントとを備え、
該プロパティアアナライザは、複数のプロパティのうちの第１のプロパティに基づいて複数のクラスタを形成し、前記複数のプロパティのうちの他のプロパティの各々に対してクラスタ化スコアを自動的に計算し、それぞれのアイテムの分布に基づいて各プロパティに対するクラスタ化スコアを計算し、最高のクラスタ化スコアを有する他のプロパティの一つを選択し、前記他のプロパティの一つに部分的に基づいてデータアイテムの分布を決定し、
該オーガナイザコンポーネントは、新しいクラスタを作成し、前記他のプロパティの一つに基づいてそれぞれの新しいクラスタの前記データアイテムに関連付けられた表示オブジェクトを格納し、
該表示コンポーネントは、前記プロパティの自動分析に部分的に基づいて前記表示オブジェクトを表示する、
グラフィカルユーザインターフェース。
【請求項１１】
請求項１０に記載のインターフェースであって、前記プロパティと相互作用するためのコントロールをさらに備える、インターフェース。
【請求項１２】
請求項１１に記載のインターフェースであって、前記プロパティは結果のネストされたクエリに使用される、インターフェース。
【請求項１３】
請求項１１に記載のインターフェースであって、前記プロパティは、タイプ、場所、カテゴリ、人物、日付、時刻、又はユーザ定義のパラメータの少なくとも１つ、又はそれらの組み合わせを含む、インターフェース。
【請求項１４】
請求項１１に記載のインターフェースであって、ユーザの操作から暗黙的に学習するコンポーネントをさらに備える、インターフェース。
【請求項１５】
請求項１１に記載のインターフェースであって、一部折りたたんだリストまたはグループをさらに備える、インターフェース。
【請求項１６】
請求項１５に記載のインターフェースであって、前記リストまたはグループを展開するためのコントロールをさらに備える、インターフェース。
【請求項１７】
請求項１６に記載のインターフェースであって、一部折りたたんだリストを利用して、圧縮されたビューに少なくとも１つの大規模なプロパティクラスタを表示する、インターフェース。
【請求項１８】
検索を最適化し情報を表示するためのコンピュータ制御のインターフェースであって、該インターフェースは、プロパティアナライザとオーガナイザとを備え、
該プロパティアアナライザは、アイテムの分布を決定し、複数のプロパティのうちの第１のプロパティに部分的に基づいて複数のクラスタを形成し、前記複数のプロパティの他のプロパティの各々に対してクラスタ化スコアを自動的に計算し、前記複数のプロパティのうちの他のプロパティの少なくとも一つを、前記他のプロパティの少なくとも一つに関連付けられたクラスタ化スコアに基づいて選択し、前記他のプロパティの少なくとも一つに部分的に基づいてデータアイテムの分布を決定し、
該オーガナイザは、前記他のプロパティの一つに部分的に基づいて、複数の最適化されたクラスタを自動的に形成し、かつ、複数の最適化されたクラスタの複数のアイテムを分配し、前記複数の最適化されたクラスタを提供する、
インターフェース。
【請求項１９】
請求項１８に記載のインターフェースであって、前記複数のアイテムは、ローカルストレージロケーション又はリモートストレージロケーションの少なくとも一方、又は両者の組み合わせに格納される、インターフェース。
【請求項２０】
請求項１９に記載のインターフェースであって、前記複数のアイテムは、文書、ファイル、フォルダ、イメージ、オーディオファイル、ビデオファイル、コード、メッセージ、又は、人物又は場所を含む外部オブジェクトのコンピュータ表現、のうちの少なくとも２つのもの、又はそれらの組み合わせを含む、インターフェース。
【請求項２１】
請求項１８に記載のインターフェースであって、前記複数のプロパティは、アイテムタイプ、前記アイテムが作成された日付または時刻、前記アイテムに関連付けられた人物、前記アイテムの場所、前記アイテムのカテゴリ、又は、システム、アプリケーション、管理者、又はユーザが定義したアイテムのプロパティ、又は、それらの組み合わせを含む、インターフェース。
【請求項２２】
請求項２１に記載のインターフェースであって、前記複数のプロパティは、メタデータを含む、インターフェース。
【請求項２３】
請求項１８に記載のインターフェースであって、前記プロパティアナライザは、最高のクラスタ化スコアに基づいて他のプロパティの少なくとも一つを選択し、前記クラスタ化スコアは、他の各クラスタにおける１クラスタ当りのアイテム数を乗算することにより得られる各クラスタのアイテム数の積に等しいか、アイテムの総数の階乗を、他の各クラスタにおける１クラスタ当りのアイテム数の階乗を乗算することにより得られる各クラスタのアイテム数の階乗の積により除した値に等しい、インターフェース。
【請求項２４】
請求項１８に記載のインターフェースであって、前記複数の最適化されたクラスタ又は前記複数のアイテムの少なくとも１つ、又は、それらの組み合わせが、重要性基準に基づいて、一部折りたたんだフォームで提供される、インターフェース。